(57)【要約】【課題】ブラック現像器によるブラック画像の連続出力時に一旦画像形成動作を停止させることなく、現像ロータリーの発熱源に最も近いカラー現像器内のトナーにケーキングや、劣化等の悪影響を防止できるようにする。【解決手段】白黒画像（ブラック画像）を連続出力する場合において、Ｎ番目とＮ＋１番目の画像形成動作の間に、現像ロータリー９を所定角度回転させることにより、画像形成動作を停止させなくて済むので、白黒画像連続出力の生産性が低下することはなく、更に、定着装置１９の発熱でイエロー現像器１１Ｙ、マゼンタ現像器１１Ｍ、シアン現像器１１Ｃが長時間加熱されることもないので、イエロー現像器１１Ｙ、マゼンタ現像器１１Ｍ、シアン現像器１１Ｃ内のトナーのケーキングや、劣化等の悪影響を防止できる。【選択図】　　　図５
2004037678.tif 000002
【特許請求の範囲】
【請求項１】
静電像が担持される像担持体と、第１現像位置にて前記像担持体上の静電像を現像する固定配置された固定現像手段と、回転体に異なる色の現像剤をそれぞれ収納した複数の現像器を搭載し、前記回転体の回転により前記各現像器の現像剤を表面に担持した各現像剤担持体を順に第２現像位置に移動させて前記像担持体上の静電像を現像する回転自在な回転現像手段と、前記回転現像手段に対して近接して配置される発熱源と、を有する画像形成装置において、前記固定現像手段のみを現像動作させて連続画像形成を行う場合に、Ｎ回目とＮ＋１回目の画像形成時の間に前記回転体を所定角度だけ回転させて、少なくとも１つの前記現像器の現像剤担持体を、前記第２現像位置を通過させる、
ことを特徴とする画像形成装置。
【請求項２】
前記固定現像手段は黒トナーを用い、前記回転現像手段の各現像器はイエロー、マゼンタ、シアンの各色のトナーをそれぞれ用いる、
ことを特徴とする請求項１に記載の画像形成装置。
【請求項３】
静電像が担持される像担持体と、第１現像位置にて前記像担持体上の静電像を現像する固定配置された固定現像手段と、回転体に異なる色の現像剤をそれぞれ収納した複数の現像器を搭載し、前記回転体の回転により前記各現像器の現像剤を表面に担持した各現像剤担持体を順に第２現像位置に移動させて前記像担持体上の静電像を現像する回転自在な回転現像手段と、前記回転現像手段に対して近接して配置される発熱源と、を有する画像形成装置において、前記固定現像手段のみを現像動作させて連続画像形成を行う場合に、前記回転体を所定の回転速度で常時回転させ、Ｎ回目とＮ＋１回目の画像形成時の間に少なくとも１つの前記現像器の現像剤担持体を、前記第２現像位置を通過させる、
ことを特徴とする画像形成装置。
【請求項４】
前記固定現像手段のみを現像動作させて連続画像形成を行う場合における、前記回転体の回転速度が一定である、
ことを特徴とする請求項３に記載の画像形成装置。
【請求項５】
前記固定現像手段のみを現像動作させて連続画像形成を行う場合における、前記回転体の回転速度が該回転体の１回転の間で可変である、
ことを特徴とする請求項３に記載の画像形成装置。
【請求項６】
前記固定現像手段は黒トナーを用い、前記回転現像手段の各現像器はイエロー、マゼンタ、シアンの各色のトナーをそれぞれ用いる、
ことを特徴とする請求項３乃至５のいずれかに記載の画像形成装置。
【発明の詳細な説明】
【０００１】
【発明の属する技術分野】
本発明は、電子写真方式などによって画像形成を行う複写機、プリンタ、ファクシミリ等の画像形成装置に関し、特に固定現像器と回転現像器を備えてモノクロ画像及びカラー画像形成可能な画像形成装置に関する。
【０００２】
【従来の技術】
複数色のトナー像を重ね合わせてカラー画像を形成する画像形成装置としては、１つの感光ドラムに対して複数の現像装置が配置される画像形成装置が知られている。
【０００３】
また、上記のようなカラー画像を形成する画像形成装置であって白黒（モノクロ）画像の形成も可能な場合では、白黒画像出力の割合が多いことからブラック現像器の使用頻度が非常に高いので、ブラック画像の現像においては１成分ジャンピング現像法を採用することが特に有効になる。このため、このような画像形成装置においては、従来からマゼンタ、シアン、イエロー等のカラー現像剤を用いるカラー現像器には、非磁性トナーと磁性キャリアを含有する２成分現像剤を用いた２成分現像法を採用し、ブラック現像剤を用いるブラック現像器には、磁性トナーを含有する１成分現像剤を用いた磁性１成分ジャンピング現像法を採用する画像形成装置が提案されている。
【０００４】
上記画像形成装置では、ブラック現像器は装置本体に固定されており、カラー現像器であるイエロー現像器、マゼンタ現像器、シアン現像器は回転自在な回転体に搭載されている。
【０００５】
そして、上記した従来の画像形成装置では、ブラック現像器のみを用いて白黒（モノクロ）画像を連続出力する際には、回転体に搭載されているカラー現像器（イエロー現像器、マゼンタ現像器、シアン現像器）は一定の位置に保持されたまま固定されていた。
【０００６】
【発明が解決しようとする課題】
上記した従来の画像形成装置のように、ブラック現像器による白黒（モノクロ）画像の連続出力時に、カラー現像器（イエロー現像器、マゼンタ現像器、シアン現像器）が長時間定位置に固定されていると、このカラー現像器の下方近傍もしくはカラー現像器に近接して配置された発熱源（熱定着器や電源等の発熱を有する部品など）の発熱によって、回転体内の上記発熱源に最も近いカラー現像器（イエロー現像器、マゼンタ現像器、シアン現像器のいずれかの現像器）内のトナーに、ケーキングや劣化等の悪影響を及ぼす虞があり、高品位な画像が得られなくなる可能性があった。
【０００７】
そこで、上記問題を回避するため従来では、ブラック現像器による白黒（モノクロ）画像の連続出力時に、一旦画像形成動作を停止してカラー現像器を搭載した回転体をある角度回転させる、もしくは１周または複数周回転させ、発熱源から遠ざけることで、回転体に搭載されているカラー現像器（イエロー現像器、マゼンタ現像器、シアン現像器）のいずれか１つの現像器の局部的な温度上昇を防ぐようにしていた。
【０００８】
しかしながら、このような構成では、ブラック現像器による白黒（モノクロ）画像の連続出力時に一旦画像形成動作を停止しなければならず、オフィス等で最も多く使用される文字画像等の、白黒（モノクロ）画像の連続出力の生産性を著しく低下させるものであった。
【０００９】
そこで本発明は、ブラック現像器による白黒（モノクロ）画像の連続出力時に一旦画像形成動作を停止させることなく、回転体内の発熱源に最も近いカラー現像器内のトナーにケーキングや、劣化等の悪影響を防止することができる画像形成装置を提供することを目的とする。
【００１０】
【課題を解決するための手段】
上記目的を達成するために請求項１に記載の発明は、静電像が担持される像担持体と、第１現像位置にて前記像担持体上の静電像を現像する固定配置された固定現像手段と、回転体に異なる色の現像剤をそれぞれ収納した複数の現像器を搭載し、前記回転体の回転により前記各現像器の現像剤を表面に担持した各現像剤担持体を順に第２現像位置に移動させて前記像担持体上の静電像を現像する回転自在な回転現像手段と、前記回転現像手段に対して近接して配置される発熱源と、を有する画像形成装置において、前記固定現像手段のみを現像動作させて連続画像形成を行う場合に、Ｎ回目とＮ＋１回目の画像形成時の間に前記回転体を所定角度だけ回転させて、少なくとも１つの前記現像器の現像剤担持体を、前記第２現像位置を通過させることを特徴としている。
【００１１】
また、請求項３に記載の発明は、静電像が担持される像担持体と、第１現像位置にて前記像担持体上の静電像を現像する固定配置された固定現像手段と、回転体に異なる色の現像剤をそれぞれ収納した複数の現像器を搭載し、前記回転体の回転により前記各現像器の現像剤を表面に担持した各現像剤担持体を順に第２現像位置に移動させて前記像担持体上の静電像を現像する回転自在な回転現像手段と、前記回転現像手段に対して近接して配置される発熱源と、を有する画像形成装置において、前記固定現像手段のみを現像動作させて連続画像形成を行う場合に、前記回転体を所定の回転速度で常時回転させ、Ｎ回目とＮ＋１回目の画像形成時の間に少なくとも１つの前記現像器の現像剤担持体を、前記第２現像位置を通過させることを特徴としている。
【００１２】
【発明の実施の形態】
以下、本発明を図示の実施の形態に基づいて説明する。
【００１３】
〈実施の形態１〉
図１は、本発明の実施の形態１に係る画像形成装置（本実施の形態では、電子写真方式で中間転写方式のフルカラー画像形成及びモノカラー（ブラック単色）画像形成可能なレーザプリンタ等の画像形成装置）を示す概略構成図である。
【００１４】
本画像形成装置１は、装置本体３内に感光ドラム４を備えている。感光ドラム４の周囲には、感光ドラム４の回転方向（反時計方向）に沿って感光ドラム４の表面を一様に帯電する帯電器５、入力される画像信号に基づいて感光ドラム４を走査露光Ｌして静電潜像を形成する露光装置（レーザ走査ユニット）２、感光ドラム４上の静電潜像にトナーを付着させて現像する現像装置６、感光ドラム４上に形成されたトナー像が１次転写されるドラム状の中間転写体７、感光ドラム４上に残留した残留トナーを除去・回収するクリーニング装置８が配置されている。
【００１５】
現像装置６は、回転自在な現像ロータリー９に配置したカラー現像器であるイエロー現像器１１Ｙ、マゼンタ現像器１１Ｍ、シアン現像器１１Ｃと、固定現像器としてのブラック現像器１２を備えている。現像ロータリー９は回転軸１０に回転自在に支持されており、現像ロータリー９に連結した駆動装置（不図示）によって回転する。ブラック現像器１２は、感光ドラム１の回転方向（時計方向）に対して現像ロータリー９の上流側に配置されている。
【００１６】
イエロー現像器１１Ｙ、マゼンタ現像器１１Ｍ、シアン現像器１１Ｃには、それぞれイエロートナー、マゼンタトナー、シアントナーを収容しており、これらのトナーは非磁性トナーと磁性キャリアを含有する２成分トナー（２成分現像剤）である。また、ブラック現像器１２には、ブラックトナー（黒トナー）を収容しており、ブラックトナーはトナー自体が磁性体である１成分トナー（磁性１成分現像剤）である。
【００１７】
イエロー現像器１１Ｙ、マゼンタ現像器１１Ｍ、シアン現像器１１Ｃの各現像スリーブ１１ａ、１１ｂ、１１ｃは、各色の現像に合わせて回転軸１０の回転により感光ドラム４と対向するカラー現像位置Ｎに移動する。カラー現像位置Ｎにおける各現像スリーブ１１ａ、１１ｂ、１１ｃと感光ドラム４間の微小間隔は、３００μｍ程度である。また、ブラック現像器１２は、現像位置における現像スリーブ１２ａと感光ドラム１間の微小間隔は、２００μｍ程度である。
【００１８】
また、イエロー現像器１１Ｙ、マゼンタ現像器１１Ｍ、シアン現像器１１Ｃの各現像スリーブ１１ａ、１１ｂ、１１ｃ内には、その表面にトナーを磁力によって担持するためのマグネットローラ（不図示）が固定配置されている。
【００１９】
次に、上記した本実施の形態における画像形成装置１のフルカラー画像形成動作について説明する。
【００２０】
フルカラー画像形成時には、感光ドラム４を駆動装置（不図示）により所定のプロセススピードで矢印方向（反時計方向）に回転駆動し、所定の帯電バイアスが印加された帯電器５により、本実施の形態では負極性の所定電位に均一に帯電する。
【００２１】
そして、帯電された感光ドラム４上に露光装置２によりレーザ光による画像露光Ｌを行い、目的のカラー画像の第１の色成分像（本実施の形態ではイエロー成分像）に対応した静電潜像を形成する。画像露光Ｌは、露光装置２の半導体レーザ（不図示）を光源として画像信号により変調されたレーザビームであり、このレーザビームは一定の回転数で高速回転する多面鏡２ａにより偏光され、結像レンズ２ｂを通してミラー２ｃ、２ｄで反射されて、光学系２ｅを介してミラー２ｆで反射された後、感光ドラム４上を走査して、その露光部の表面電位を減衰させて静電潜像を形成する。
【００２２】
そして、現像ロータリー９の回転によりイエロー現像器１１Ｙの現像スリーブ１１ａをカラー現像位置Ｎに移動させ、現像バイアスを印加した現像スリーブ１１ａにより、この静電潜像を第１色目であるイエロートナーにより反転現像して可視像化する。
【００２３】
そして、感光ドラム４上に形成担持された前記第１色目のイエロー像は、感光ドラム４に当接する中間転写体７との間の１次転写部を通過する過程で、この１次転写部での圧力と中間転写体７に印加される１次転写バイアスにより形成される電界によって、中間転写体７の外周面に１次転写されていく。中間転写体７上にイエロートナー像が１次転写された後に、中間転写体７に１次転写されないで感光ドラム４上に残った１次転写残トナーは、クリーニング装置８によってクリーニングされる。
【００２４】
そして、イエロートナー像の１次転写が終了すると、現像ロータリー９を回転駆動して順に次のマゼンタ現像器１１Ｍ、シアン現像器１１Ｃをカラー現像位置Ｎに移動させて、第１色目のイエローの場合と同様にして第２、第３色目のマゼンタ、シアンの各色について、静電潜像の形成、現像工程、１次転写、クリーニングを順次行ない、感光ドラム１上にそれぞれ形成担持された第２色目のマゼンタトナー像、第３色目のシアントナー像を、中間転写体７のイエロートナー像上に順次重ね合わせる。
【００２５】
そして、同様にブラック現像器１２の現像バイアスを印加した現像スリーブ１２ａにより、この静電潜像を第４色目であるブラックトナーにより反転現像して可視像化し、感光ドラム４上に形成担持された第４色目のブラックトナー像を、中間転写体７のイエロートナー像、マゼンタトナー像、シアントナー像上に重ね合わせて転写して目的のカラー画像に対応したフルカラートナー像が形成される。
【００２６】
また、カセット１４に収容されている用紙などの転写材Ｐは、ピックアップローラ１５により１枚ずつ給紙され、搬送路１６を通してレジストローラ（不図示）まで搬送される。また、手差しカセット１７上にセットした転写材Ｐも、給紙ローラ１８によりレジストローラ（不図示）まで搬送することができる。
【００２７】
そして、離間状態にあった２次転写ローラ１３を中間転写体７に加圧して２次転写部を形成し、中間転写体７上のフルカラー像がこの２次転写部に到達すると、このタイミングに合わせて転写材Ｐがレジストローラ（不図示）によって２次転写部に搬送される。そして、２次転写バイアスが印加された２次転写ローラ１３により、中間転写体７から転写材Ｐ上にフルカラートナー像が一括転写（２次転写）される。
【００２８】
そして、フルカラーのトナー像が転写された転写材Ｐは発熱源としての定着装置１９に搬送されて、定着装置１９のヒータ（不図示）を内蔵した定着ローラ１９ａと加圧ローラ１９ｂ間の定着ニップ部で挟持搬送され、定着ローラ１９ａと加圧ローラ１９ｂ間の定着ニップ部でフルカラーのトナー像が加熱加圧されて転写材Ｐ上に定着された後、排出ローラ２０を介して外部のトレイ２１に排出される。
【００２９】
なお、上記２次転写動作終了後において、中間転写体７上に２次転写されずに残った２次転写残トナーは、クリーニング装置（不図示）によってクリーニングされる。
【００３０】
また、白黒画像（ブラック画像）を出力する場合には、固定のブラック現像器１２のみを現像動作させて上記と同様にして白黒画像（ブラック画像）を形成し、転写材Ｐに転写、定着して外部に出力する。この際、ブラック現像器１２によって白黒画像（ブラック画像）を連続出力する場合には、図２に示すように、現像ロータリー９に搭載されているイエロー現像器１１Ｙ、マゼンタ現像器１１Ｍ、シアン現像器１１Ｃの各現像スリーブ１１ａ、１１ｂ、１１ｃは、カラー現像位置Ｎから待避した位置にある。
【００３１】
これは、ブラック現像器１２によって白黒画像（ブラック画像）を連続出力する場合に、現像ロータリー９内のいずれかの現像スリーブ（現像スリーブ１１ａ、１１ｂ、１１ｃのいずれか）がカラー現像位置Ｎに停止していると、カラー現像位置Ｎに停止しているいずれかのカラー現像器（イエロー現像器１１Ｙ、マゼンタ現像器１１Ｍ、シアン現像器１１Ｃのいずれか）のトナーが感光ドラム４に移ってしまうのを防止するためである。
【００３２】
また、本実施の形態の画像形成装置１では、カラー現像器（イエロー現像器１１Ｙ、マゼンタ現像器１１Ｍ、シアン現像器１１Ｃ）を搭載した現像ロータリー９の下方に装置本体３内で最も発熱を発する定着装置１９が配置されており、白黒画像（ブラック画像）を連続出力する場合には、図２に示すように、シアン現像器１１Ｃが定着装置１９に近い位置にある。
【００３３】
このため、ブラック現像器１２によって白黒画像（ブラック画像）を連続出力中においては、定着装置１９の発熱によってシアン現像器１１Ｃが加熱されて温度が高い状態になってしまう。
【００３４】
そこで、従来では図３に示すように、ある規定枚数（例えば５０枚）を越えた時点で、現像ロータリー９を矢印方向（時計方向）に所定角度（図では１２０度）だけ回転させ、イエロー現像器１１Ｙを現像ロータリー９内で最も定着装置１９に近い位置に移動させる。
【００３５】
このように、ブラック現像器１２によって白黒画像（ブラック画像）を連続出力中、現像ロータリー９をただ単に所定角度回転させてしまうと、現像ロータリー９内のいずれかの現像スリーブ（現像スリーブ１１ａ、１１ｂ、１１ｃのいずれか）がカラー現像位置Ｎを通過してしまうため、感光ドラム４上で形成された白黒画像（ブラック画像）上に、カラーのトナーが載ってしまい画像不良となってしまう。
【００３６】
そこで、本発明の実施の形態では、上記画像不良を防止するために、ブラック現像器１２によって白黒画像（ブラック画像）を連続出力する場合には、以下のように現像ロータリー９を回転させるようにした。
【００３７】
先ず、図４に示すように、Ｎ（Ｎ：例えば５０枚）番目の画像形成中において、現像ロータリー９は、カラー現像位置Ｎに現像ロータリー９内のいずれかの現像スリーブ（現像スリーブ１１ａ、１１ｂ、１１ｃいずれか）が位置しない所定の位置で停止している。
【００３８】
次に、図５に示すように、Ｎ番目の画像形成とＮ＋１番目の画像形成との間である、感光ドラム４に白黒画像（ブラック画像）がないタイミングで、いずれかのカラー現像器（図では、イエロー現像器１１Ｙ）の現像スリーブ（図では、イエロー現像器１１Ｙの現像スリーブ１１ａ）が感光ドラム４上を通過するように、現像ロータリー９を矢印方向（時計方向）に所定角度回転させ、カラー現像位置Ｎを通過するようにする。
【００３９】
この場合、図５の状態から図６の状態まで現像ロータリー９を１２０度回転させることで、イエロー現像器１１Ｙが最も定着装置１９に近い位置に移動している。
【００４０】
そして、白黒画像（ブラック画像）を大量に連続出力する場合、この動作を所定枚数ごとに順次繰り返して、現像ロータリー９内の最も定着装置１９に近いカラー現像器（イエロー現像器１１Ｙ、マゼンタ現像器１１Ｍ、シアン現像器１１Ｃのいずれかのカラー現像器）を常に規定枚数ごとに入れ換える。
【００４１】
このように本実施の形態では、白黒画像（ブラック画像）を連続出力する場合において、Ｎ番目とＮ＋１番目の画像形成との間に、現像ロータリー９を所定角度回転させ、カラー現像器（イエロー現像器１１Ｙ、マゼンタ現像器１１Ｍ、シアン現像器１１Ｃのいずれかのカラー現像器）の現像スリーブがカラー現像位置Ｎを通過するようにすることにより、感光ドラム４上の白黒画像（ブラック画像）にカラーのトナーが移ることが防止され、画像不良の発生を防止して高品位な画像を得ることができる。
【００４２】
また、本実施の形態では、白黒画像（ブラック画像）を連続出力する場合において、Ｎ番目とＮ＋１番目の画像形成動作の間に、現像ロータリー９を所定角度回転させることにより、画像形成動作を停止させなくて済むので、白黒画像連続出力の生産性が低下することはなく、更に、定着装置１９の発熱で特定のカラー現像器（イエロー現像器１１Ｙ、マゼンタ現像器１１Ｍ、シアン現像器１１Ｃのいずれかのカラー現像器）が長時間加熱されることもないので、カラー現像器（イエロー現像器１１Ｙ、マゼンタ現像器１１Ｍ、シアン現像器１１Ｃ）内のトナーのケーキングや、劣化等の悪影響を防止でき、高品位な画像を得ることができる。
【００４３】
なお、本実施の形態では、現像ロータリー９の回転角度を１２０度にすることを例示したが、本発明はそれに限定されるものではなく、本発明の目的を達成できれば回転角度は何度でもよく、例えば６０度でも各カラー現像器がカラー現像位置を通過できればよく、本発明を適用することで同様の効果が得られる。
【００４４】
〈実施の形態２〉
図７は、本発明の実施の形態２に係る画像形成装置の要部を示す概略構成図である。なお、図１乃至図６に示した実施の形態１における画像形成装置と同一機能を有する部材には同一符号を付し、重複する説明は省略する。
【００４５】
本実施の形態では、図７に示すように、白黒画像（ブラック画像）を連続出力する場合において、現像ロータリー９は矢印方向（時計方向）に所定の速度で常時回転している。
【００４６】
この際、現像ロータリー９の回転速度は、Ｎ（Ｎ：例えば５０枚）番目とＮ＋１番目の画像形成の間になるタイミングで、カラー現像器（イエロー現像器１１Ｙ、マゼンタ現像器１１Ｍ、シアン現像器１１Ｃのいずれかのカラー現像器）の現像スリーブ（現像スリーブ１１ａ、１１ｂ、１１ｃのいずれかの現像スリーブ）がカラー現像位置Ｎを通過するような回転速度である。
【００４７】
図８は、図７の状態から現像ロータリー９が矢印方向（時計方向）に更に回転し、Ｎ番目とＮ＋１番目の画像形成の間に、イエロー現像器１１Ｙの現像スリーブ１１ａがカラー現像位置Ｎを通過していく行程を示している。更に、図９は、図８の状態から現像ロータリー９が矢印方向（時計方向）に更に回転し、次のマゼンタ現像器１１Ｍの現像スリーブ１１ｂがカラー現像位置Ｎを通過していく行程を示している。
【００４８】
このように、図７〜図９では、白黒画像（ブラック画像）を連続出力する場合において、Ｎ番目とＮ＋１番目の画像形成の間に、現像ロータリー９の常時回転によってイエロー現像器１１Ｙの現像スリーブ１１ａがカラー現像位置Ｎを通過する前の状態からカラー現像位置Ｎを通過し、更に次のマゼンタ現像器１１Ｍの現像スリーブ１１ｂがカラー現像位置Ｎを通過している状態を示している。
【００４９】
また、上記した図７〜図９と同様のタイミングで、白黒画像（ブラック画像）を連続出力する場合に、Ｎ番目とＮ＋１番目の画像形成の間に現像ロータリー９の常時回転によって、マゼンタ現像器１１Ｍ、シアン現像器１１Ｃの現像スリーブ１１ｂ、１１ｃも、カラー現像位置Ｎを通過していく。
【００５０】
このように本実施の形態では、白黒画像（ブラック画像）を連続出力する場合において、Ｎ番目とＮ＋１番目の画像形成の間に、現像ロータリー９の常時回転によってカラー現像器（イエロー現像器１１Ｙ、マゼンタ現像器１１Ｍ、シアン現像器１１Ｃのいずれか）の現像スリーブ（現像スリーブ１１ａ、１１ｂ、１１ｃのいずれか）がカラー現像位置Ｎを通過するようにすることにより、感光ドラム４上の白黒画像（ブラック画像）にカラーのトナーが移ることが防止され、画像不良の発生を防止して高品位な画像を得ることができる。
【００５１】
また、本実施の形態では、白黒画像（ブラック画像）を連続出力する場合において、現像ロータリー９を常時回転させることにより、画像形成動作を停止させなくて済むので、白黒画像連続出力の生産性が低下することはなく、更に、定着装置１９の発熱で特定のカラー現像器（イエロー現像器１１Ｙ、マゼンタ現像器１１Ｍ、シアン現像器１１Ｃのいずれかのカラー現像器）が長時間加熱されることもないので、カラー現像器（イエロー現像器１１Ｙ、マゼンタ現像器１１Ｍ、シアン現像器１１Ｃ）内のトナーのケーキングや、劣化等の悪影響を防止でき、高品位な画像を得ることができる。
【００５２】
更に、本実施の形態では、白黒画像（ブラック画像）を連続出力する場合において、現像ロータリー９を常時回転させることにより、現像ロータリー９の回転から停止する際の振動ショックが発生することがないので、より高品位な白黒画像（ブラック画像）を得ることができる。
【００５３】
また、本実施の形態では、現像ロータリー９の常時回転を一定に保つことを例示しているが、本発明はこれに限定されるものではなく、例えば、画像形成装置の高速化によりブラック現像器１２によって白黒画像（ブラック画像）を連続出力する場合において、Ｎ番目とＮ＋１番目の画像形成の間隔が狭くなり、一定速度の現像ロータリー９の回転では、画像形成の間隔で現像スリーブがカラー現像位置を通過できない場合、現像ロータリー９の回転速度を可変にすることで、高速化が可能になる。
【００５４】
また、上述した各実施の形態では、発熱源として定着装置を例示したが、本発明はこれに限定されるものではなく、例えば、発熱源が電源などの電装部品でもよく、本発明を適用することで同様の効果を得ることができる。
【００５５】
【発明の効果】
以上説明したように本発明によれば、固定現像手段のみを現像動作させて連続画像形成を行う場合に、画像形成動作を停止させなくて済むので、画像連続出力の生産性の低下を防止することができ、更に、回転現像手段の各現像器が長時間定位置にあることがなくなり、発熱源の発熱による温度上昇を各現像器に分散することができるので、各現像器内の現像剤のケーキングや、劣化等の悪影響が防止され、高品位な画像を得ることができる。
【図面の簡単な説明】
【図１】本発明の実施の形態１に係る画像形成装置を示す概略構成図。
【図２】画像形成装置のブラック現像器によるブラック画像を連続出力する場合における、カラー現像器の現像スリーブの位置を示す概略構成図。
【図３】本発明の実施の形態１に係る画像形成装置のブラック現像器によるブラック画像を連続出力する場合における、カラー現像器の現像スリーブの位置を示す概略構成図。
【図４】本発明の実施の形態１に係る画像形成装置のブラック現像器によるブラック画像を連続出力する場合における、現像ロータリーの回転位置を示す図。
【図５】本発明の実施の形態１に係る画像形成装置のブラック現像器によるブラック画像を連続出力する場合における、現像ロータリーの回転位置を示す図。
【図６】本発明の実施の形態１に係る画像形成装置のブラック現像器によるブラック画像を連続出力する場合における、現像ロータリーの回転位置を示す図。
【図７】本発明の実施の形態２に係る画像形成装置のブラック現像器によるブラック画像を連続出力する場合における、現像ロータリーの回転状態を示す図。
【図８】本発明の実施の形態２に係る画像形成装置のブラック現像器によるブラック画像を連続出力する場合における、現像ロータリーの回転状態を示す図。
【図９】本発明の実施の形態２に係る画像形成装置のブラック現像器によるブラック画像を連続出力する場合における、現像ロータリーの回転状態を示す図。
【符号の説明】
１　　　　画像形成装置
２　　　　露光装置
３　　　　装置本体
４　　　　感光ドラム（像担持体）
５　　　　帯電器
６　　　　現像装置
７　　　　中間転写体
９　　　　現像ロータリー（回転体）
１１Ｙ　　イエロー現像器（回転現像手段）
１１Ｍ　　マゼンタ現像器（回転現像手段）
１１Ｃ　　シアン現像器（回転現像手段）
１１ａ、１１ｂ、１１ｃ、１２ａ　　　　現像スリーブ（現像剤担持体）
１２　　　ブラック現像器（固定現像手段）
１３　　　２次転写ローラ
１９　　　定着装置（発熱源）
【図１】
2004037678.tif 000003
【図２】
2004037678.tif 000004
【図３】
2004037678.tif 000005
【図４】
2004037678.tif 000006
【図５】
2004037678.tif 000007
【図６】
2004037678.tif 000008
【図７】
2004037678.tif 000009
【図８】
2004037678.tif 000010
【図９】
2004037678.tif 000011